【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
構築されるウェブサイトに表示されるコンテンツ項目のプールと、
前記項目を表示するために使用することができるビューのセットであって、各ビューが、前記ウェブサイトのウェブページのセクション用のテンプレートである、ビューのセットと、
前記コンテンツ項目を前記ウェブサイトに表示するために、各コンテンツ項目について適したビューを動的に提供する、動的なマッチングおよび適合モジュールと、
を備えるウェブサイト構築システム（ＷＢＳ）。
【請求項２】
前記動的なマッチングおよび適合モジュールは、
（ａ）前記ビューのセットから、マッチするビューを突き止めること、
（ｂ）マッチするビューをオンザフライで構築すること、
（ｃ）前記ビューのセットから、マッチするビューを突き止めて、突き止めたビューを修正すること、
のうちの少なくとも１つを実行する、請求項１に記載のウェブサイト構築システム。
【請求項３】
前記ウェブサイト構築システムは、項目型をサポートし、前記ビューのセットの少なくとも１つのビューは、項目型と関連付けられ、前記項目型に属する項目を表示するために使用可能である、請求項１に記載のウェブサイト構築システム。
【請求項４】
前記動的なマッチングおよび適合モジュールは、ビューとコンテンツ項目とのマッチングを、適したビューを前記コンテンツ項目の項目型にマッチングすることにより、実行する、請求項３に記載のウェブサイト構築システム。
【請求項５】
前記構築システムは、既存のビューから特徴を継承する派生ビューを生成可能な、ビュー継承モジュールを介した、ビューの継承をサポートする、請求項１に記載のウェブサイト構築システム。
【請求項６】
所与のビューが所与のコンテンツにとって適切でない場合、ビュー継承ツリーにおいて、適切なビューを上方に検索する親ビューサーチャをさらに備える、請求項５に記載のウェブサイト構築システム。
【請求項７】
所与のコンテンツ項目について、潜在的なマッチするビューをランク付けする、ランキングモジュール、をさらに備える、請求項１に記載のウェブサイト構築システム。
【請求項８】
優先順位値を各ビューに付加する、ビュー優先順位マネージャをさらに備え、
前記動的なマッチングモジュールは、複数のマッチする候補のビューを見つけて、前記複数のマッチする候補のビューから、前記優先順位値に基づいて利用するための１つのビューを選択することができる、請求項１に記載のウェブサイト構築システム。
【請求項９】
前記マッチングおよび適合モジュールは、
所与のコンテンツ項目について、複数のマッチする候補のビューの中の、最上位ランキングの候補を、動的に修正する動的ビューコンストラクタであって、前記マッチングおよび適合モジュールは、閾値より大きいマッチングスコアの前記コンテンツ項目とマッチする、事前に定義されたマッチするビューを何も見つけない場合に、動的に修正する動的ビューコンストラクタ、を含む請求項１に記載のウェブサイト構築システム。
【請求項１０】
１つまたは複数の動的レイアウトルールを、前記特定のビューに適用する、動的レイアウトマネージャ、をさらに備える請求項２に記載のウェブサイト構築システム。
【請求項１１】
前記所与のビューは、前記ビュー内に含まれたリピータコンポーネントを含み、前記リピータコンポーネントは、前記所与のビューを介して表示されたコンテンツ項目の一次リストに関係する二次リストを表示する、請求項１に記載のウェブサイト構築システム。
【請求項１２】
前記コンテンツ項目のプールから取得されたコンテンツを表示するコンテナを含む、リンキングコンポーネントを定義する、リンキングコンポーネントマネージャ、をさらに備える請求項１に記載のウェブサイト構築システム。
【請求項１３】
前記リンキングコンポーネントマネージャは、アグリゲータフィールド連結マネージャと関連付けられて、２つのリンキングコンポーネントを、前記２つのリンキングコンポーネントのうちの１つの中の項目に基づいて集計された値を計算するアグリゲーション関数に基づいて、相互に連結する、請求項１２に記載のウェブサイト構築システム。
【請求項１４】
前記リンキングコンポーネントマネージャは、タグクラウド連結マネージャと関連付けられて、２つのリンキングコンポーネントを、前記２つのリンキングコンポーネントのうちの１つと関連付けられたクラウドタグからの、タグの選択に基づいて、相互に連結する、請求項１２に記載のウェブサイト構築システム。
【請求項１５】
（ａ）適用されている特定のビューのコンテキストで、表示されたコンテンツに、１つまたは複数のコンポーネントを加えること、
（ｂ）適用されている特定のビューのコンテキストで、表示されたコンテンツの１つまたは複数のコンポーネントを削除すること、
（ｃ）適用されている特定のビューのコンテキストで、表示されたコンテンツの１つまたは複数のコンポーネントを修正すること、
のうちの少なくとも１つを実行することにより、特定のコンテンツ項目を適合させる、特定項目適合モジュール、をさらに備える、請求項１に記載のウェブサイト構築システム。
【請求項１６】
前記特定項目適合モジュールは、
所与のビューの局所変形を、内部派生ビューとして作成して、前記内部派生ビューに、修正のレイヤを追加する、局所変形作成部、を含む請求項１５に記載のウェブサイト構築システム。
【請求項１７】
前記１つまたは複数のオブジェクトは、ビュー、テンプレート、項目型、項目のコレクション、リストアプリケーション、リンキングコンポーネント、のうちの１つまたは複数を含む、請求項１４に記載のウェブサイト構築システム。
【請求項１８】
構築されるウェブサイトに表示されるコンテンツ項目のプールを格納することと、
前記項目を表示するために使用することができるビューのセットであって、各ビューが、前記ウェブサイトのウェブページのセクション用のテンプレートである、ビューのセットを格納することと、
前記コンテンツ項目を前記ウェブサイトに表示するために、各コンテンツ項目について適したビューを動的に提供する、動的なマッチングおよび適合を実行することと、
を含む、ウェブサイトを構築するためのコンピュータ化された方法。
【請求項１９】
（ａ）前記ビューのセットから、マッチするビューを突き止めること、
（ｂ）マッチするビューをオンザフライで構築すること、
（ｃ）前記ビューのセットから、マッチするビューを突き止めて、突き止められたビューを修正すること、
のうちの少なくとも１つを実行することを含む、請求項１８に記載のコンピュータ化された方法。
【請求項２０】
所与のビューと所与の項目とを関連付けること、をさらに含み、
前記動的なマッチングおよび適合は、ビューと項目との事前関連付けに基づいて、動的なマッチングを実行することを含む、請求項１８に記載のコンピュータ化された方法。
【請求項２１】
既存のビューから特徴を継承する派生ビューを生成することにより、ビューの継承をサポートすること、
をさらに含む、請求項１８に記載のコンピュータ化された方法。
【請求項２２】
所与のコンテンツ項目について、潜在的なマッチするビューをランク付けすること、をさらに含む、請求項１８に記載のコンピュータ化された方法。
【請求項２３】
前記動的なマッチングおよび適合を実行することは、
所与のコンテンツ項目について、複数のマッチする候補のビューの中の、最上位ランキングの候補を、動的に修正することであって、前記マッチングおよび適合が、閾値より大きいマッチングスコアの前記コンテンツ項目とマッチする、事前に定義されたマッチするビュー、を何も見つけない場合に、動的に修正すること、を含む、請求項１８に記載のコンピュータ化された方法。
【請求項２４】
１つまたは複数の動的レイアウトルールを、前記特定のビューに適用すること、をさらに含む、請求項１８に記載のコンピュータ化された方法。
【請求項２５】
前記所与のビューは、前記ビュー内に含まれたリピータコンポーネントを含み、前記リピータコンポーネントは、前記所与のビューを介して表示されたコンテンツ項目の、一次リストに関係する二次リストを表示する、請求項１８に記載のコンピュータ化された方法。
【請求項２６】
前記コンテンツ項目のプールから取得されたコンテンツを表示するコンテナを含む、リンキングコンポーネントを定義すること、をさらに含む、請求項１８に記載のコンピュータ化された方法。
【請求項２７】
（ａ）適用されている特定のビューのコンテキストで、表示されたコンテンツに、１つまたは複数のコンポーネントを加えること、
（ｂ）適用されている特定のビューのコンテキストで、表示されたコンテンツの１つまたは複数のコンポーネントを削除すること、
（ｃ）適用されている特定のビューのコンテキストで、表示されたコンテンツの１つまたは複数のコンポーネントを修正すること、
のうちの少なくとも１つを実行することにより、特定のコンテンツ項目を適合させる特定項目適合の実行をさらに含む、請求項１８に記載のコンピュータ化された方法。